(57)【要約】【課題】遊技媒体貸しユニットを一体的に付設し、据付けの簡易化等を図ると共に、外観デザインを良くし見栄えを向上させ、併せて操作性を良好にし、長時間の遊技に対しても疲労感を生じさせることのない遊技装置を提供する。【解決手段】複数の図柄列を回転表示させる表示手段３と、複数の図柄列の回転を開始させる起動スイッチ４及び該図柄列の回転を個々に停止させる停止スイッチ５を有する操作面８とを装置本体２の前面を備えた遊技装置であって、前記装置本体２には、その前面に具備された表示手段３から更に手前側に延出するよう前記操作面８が設けられると共に、該装置本体２の一側部に、該装置本体２の側面形状と同じ輪郭の外形形状を有する遊技媒体貸しユニット２９を付設してなる遊技装置。【選択図】        図１
2004267320.tif 000002
【特許請求の範囲】
【請求項１】
複数の図柄列を回転表示させる表示手段と、複数の図柄列の回転を開始させる起動スイッチ及び該図柄列の回転を個々に停止させる停止スイッチを有する操作面とを装置本体の前面を備えた遊技装置であって、
前記装置本体には、その前面に具備された表示手段から更に手前側に延出するよう前記操作面が設けられると共に、
該装置本体の一側部に、該装置本体の側面形状と同じ輪郭の外形形状を有する遊技媒体貸しユニットを付設してなる
ことを特徴とする遊技装置。
【請求項２】
請求項１に記載の遊技装置であって、
前記装置本体の前面に、前記操作面から更に手前側に延出して設けられる肘掛け部を具備すると共に、
前記遊技媒体貸しユニットに、前記装置本体の肘掛け部に並列する拡大延出部を一体形成してなる
ことを特徴とする遊技装置。
【請求項３】
請求項１又は２のいずれかに記載の遊技装置であって、
前記装置本体の前面に、その操作面及び遊技媒体投入口並びに前記遊技媒体貸しユニットのそれぞれと隣接する位置に遊技媒体受け皿を設けると共に、
該遊技媒体受け皿を、前記遊技媒体貸しユニットの遊技媒体受け皿と共通化してなる
ことを特徴とする遊技装置。
【発明の詳細な説明】
【０００１】
【発明の属する技術分野】
本発明は、複数の図柄列を回転させ、それを停止させた時に図柄が予め定められている組み合わせで並んだときに入賞となり、所定の配当が受けられるタイプの遊技装置に関し、特にホールの床面に直接据付ける形式の遊技装置に関するものである。
【０００２】
【従来の技術】
上記したタイプの遊技装置は、外周面に所定間隔で描かれた複数の図柄列のうち一部が表示窓に表示されるように並列に配置された複数の回転胴を具備し、起動スイッチの操作によって各回転胴を互いに独立に回転を開始させた後、その回転を停止スイッチの操作によって順次停止させ、該停止時に各回転胴の図柄が予め定められている組み合わせで表示窓に並んだときに入賞となり、各々所定の配当が受けられるように構成されている。
【０００３】
係る遊技装置において、装置を操作する起動スイッチ及び停止スイッチは装置本体の前面に配置されているので、遊技に際して各スイッチを操作するために手を浮かした状態で操作しなければならない。従って、長時間の遊技によって疲労感が生ずることは避けられなかった。
【０００４】
図４は従来の遊技装置の一例を示すもので、装置本体４０の前面に手前に突き出した操作テーブル４１を設け、該操作テーブル４１上に遊技媒体投入機構４２ａ〜４２ｃ及び４３、起動スイッチ４４、並びに停止スイッチ４５ａ〜４５ｃを配置し、図５に示すように遊技者５０が操作テーブル４１に腕を載せた状態で遊技装置の操作を行うことができるようにしている。なお、この操作テーブル４１は、停止スイッチ４５ａ〜４５ｃを挟んで両側に肘当てパッド４６ａ、４６ｂが設けられているように左右に分断されている（例えば特許文献１参照）。
【０００５】
【特許文献１】
特開２００１−７９１３９公報
【０００６】
この遊技装置によれば、各スイッチ類の操作に際して、遊技者５０は腕を操作テーブル４１に載せたまま、各肘の回動運動による手の動きだけで操作が可能となるため、手を浮かせて操作するものに比べて疲労感を少なくし、長時間遊技が行えるようになる。
【０００７】
しかしながら、上記の遊技装置では、操作テーブル４１が停止スイッチ４５ａ〜４５ｃを挟んで両側に肘当てパッド４６ａ、４６ｂを設けているように左右に分断されており、この肘当てパッド４６ａ、４６ｂに置いた左右の肘の回動運動で操作を行うことになるため、手のひらの操作領域が各肘を中心とした短い円弧方向のみとなり、広い操作領域を得ることができなかった。また、肘当てパッド４６ａ、４６ｂに各肘が置かれるので、例えば右手で操作テーブルの左端或いはその逆に左手で操作テーブルの右端を操作する片手操作を行う場合、結局は手を支持することはできず、疲労軽減効果は差ほど期待することはできなかった。
【０００８】
さらに、両肘を置く構成であるため、操作テーブル４１の間口方向の長さを長く確保しなければならず、装置本体４０の間口寸法が増大し、単位面積当たりの据付け台数が少なくなる問題を内包し、その側面に遊技媒体貸しユニットを付設する場合、更に据付け台数が制約されることになる。
【０００９】
また、遊技装置は一般に遊技島に複数台並設され、その間にいわゆるサンド型の遊技媒体貸しユニットを設置することが多いが、この遊技媒体貸しユニットと遊技装置とは通常別体で構成されているため、必ずしも同じデザインや形状にはなっておらず、特にホールの床面に直接据付けられるタイプの遊技装置に付設する場合、据付け性や外観デザイン的に見て一体性に欠け、据付け作業や見栄えの面から改善点が残されていた。
【００１０】
【発明が解決しようとする課題】
本発明は、上記した問題に対処するためになされたものであって、その第一の課題は、遊技装置に付設される遊技媒体貸しユニットを一体的に構成することにより、据付けの簡易化等を図ると共に、付設状態での外観デザインを良好にし見栄えを向上させることができる遊技装置を提供することにある。
また、本発明の他の課題は、特にホールの床面に据付けられるタイプの遊技装置に適用でき、操作性を良好にし、長時間の遊技に対しても疲労感を生じさせることのない遊技装置を提供することにある。
【００１１】
【課題を解決するための手段】
上記した課題を解決するため、本発明の請求項１に係る遊技装置は、複数の図柄列を回転表示させる表示手段と、複数の図柄列の回転を開始させる起動スイッチ及び該図柄列の回転を個々に停止させる停止スイッチを有する操作面とを装置本体の前面を備えた遊技装置であって、前記装置本体には、その前面に具備された表示手段から更に手前側に延出するよう前記操作面が設けられると共に、該装置本体の一側部に、該装置本体の側面形状と同じ輪郭の外形形状を有する遊技媒体貸しユニットを付設してなることを特徴とするものである。
このような構成とすることにより、遊技装置とその一側面に付設される遊技媒体貸しユニットとを外形形状を同じ輪郭として一体感を創出させることができるため、纏まり感のあるすっきりとした見栄えのよいデザインとすることができると共に、据付けに際して両者を一体的に取り扱って処理できるため、据付け作業の簡素化、据付けコストの低減、据付け時間の短縮化等、据付け性の改善を図ることができる
【００１２】
また、本発明の請求項２に係る遊技装置は、請求項１に記載の遊技装置であって、前記装置本体の前面に、前記操作面から更に手前側に延出して設けられる肘掛け部を具備すると共に、前記遊技媒体貸しユニットに、前記装置本体の肘掛け部に並列する拡大延出部を一体形成してなることを特徴とするものである。
上記のように肘掛け部及びこれに並列する拡大延出部を一体的に設けることにより、遊技者は前腕部をこれらの上に置いた状態で前後位置を変えながら左右方向にスライドさせることができるため、面状の操作領域をカバーすることが可能となる。従って、操作領域全てにわたり手が届き、広い操作領域が得られるようになり、遊技者は上体を支えた楽な姿勢で快適に遊技でき、片手操作等の操作性向上と長時間遊技による疲労感の大幅軽減を達成することができる。
【００１３】
更に、本発明の請求項３に係る遊技装置は、請求項１又は２のいずれかに記載の遊技装置であって、前記装置本体の前面に、その操作面及び遊技媒体投入口並びに前記遊技媒体貸しユニットのそれぞれと隣接する位置に遊技媒体受け皿を設けると共に、該遊技媒体受け皿を、前記遊技媒体貸しユニットの遊技媒体受け皿と共通化してなることを特徴とするものである。
上記のような位置に遊技媒体受け皿を設けることにより、遊技媒体受け皿の共通化に際して遊技媒体貸しユニットが隣接しているため、該ユニットからの遊技媒体払出し機構を比較的簡易に設計することができると共に、操作面及び遊技媒体投入口にも隣接しているため、遊技媒体の投入等を楽に行うことができ、操作性の維持向上を図ることができる。
【００１４】
【発明の実施の形態】
以下に本発明の実施の形態を図１乃至図３に基づいて説明する。
図１は本発明の実施形態に係る遊技装置の構成を示す外観斜視図、図２はその内部構成の概要を示す分解斜視図、図３は該遊技装置に対する遊技者の遊技姿勢を示す側面図である。
【００１５】
この実施形態に係る遊技装置１は、複数の図柄列を回転表示させる表示手段３と、複数の図柄列の回転を開始させる起動スイッチ４と、図柄列を個々に順次停止させる停止スイッチ５とを装置本体２の前面に間口方向に並設するように設置している。装置本体２の前面上部には、運転表示灯６、配当表示パネル７が取付けられており、表示手段３の下方には、上記した起動スイッチ４、停止スイッチ５等が設けられた操作面８が配置されている。
【００１６】
表示手段３には、図示されていない３本の平行な線と、Ｘ字状に交差する２本の線とからなる５本の入賞ラインが描かれた窓９が設けられ、該窓９の中には外周面に複数の異なる図柄列を表示する図２に示す３つの回転胴１０ａ〜１０ｃが内蔵されている。各回転胴１０ａ〜１０ｃの停止時には、入賞ラインに沿うように３列３段、計９個の図柄が窓９から視認できるように構成されている。
【００１７】
操作面８の左方には、投入個数１、２及び３個に対応した貯留遊技媒体投入ボタン１１ａ〜１１ｃが設けられ、操作面８の右方には、個別遊技媒体投入口１２と、遊技媒体の受け皿１３とが配置されている。これら貯留遊技媒体投入ボタン１１ａ〜１１ｃと個別遊技媒体投入口１２とによって遊技媒体投入機構が構成されている。なお、遊技媒体の受け皿１３は、停止スイッチ５等を配置した操作面８及び個別遊技媒体投入口１２に隣接する位置に配設されている。また、操作面８の左端直上には、遊技媒体清算ボタン１４が設置されている。
【００１８】
更に、操作面８の中央部に設けられている図柄列の停止スイッチ５として、各回転胴１０ａ〜１０ｃに対応した停止スイッチ５ａ〜５ｃが配列されている。
また、図２に示すように、装置本体２の上部には、照明ランプ１５が内蔵されると共に、この照明ランプ１５の左右にはサイドスピーカー１６ａ、１６ｂが内蔵されている。装置本体２内部の回転胴１０ａ〜１０ｃの近傍には、集中端子基板１７と、サブ基板１８、第１メイン基板１９及び第２メイン基板２０を搭載するメイン基板取付けボード２１が取付けられている。
【００１９】
操作面８と表示手段３の窓９との間には、補給シュート２２が開口され、該補給シュート２２に投入された遊技媒体は、装置本体２の下部に内蔵されているホッパータンク２３に投入されるようになっている。ホッパータンク２３の近傍には補助収納庫２４が装着され、該補助収納庫２４はホッパータンク２３で収納しきれない遊技媒体を収納するよう構成されている。装置本体２の下部左上にはスピーカーブラケット２５を介してウーハスピーカー２６が取付けられている。
【００２０】
また、装置本体２の底板の前方両側の二隅には、装置本体２のレベルを調整するためのレベル調整機構２７が設けられている。さらに、装置本体２の前面から手前側に向かって延出した操作面８には、そこから更に手前側に延出する肘掛け部２８が装置本体２の間口全体に亘って連続するよう設けられている。この肘掛け部２８は装置本体２に一体的に形成してもよく、あるいは別部品を取付け固定するようにしてもよい。
【００２１】
上記した遊技装置１の装置本体２は、上部が装飾品の内蔵部分、中央部が回転胴等の内蔵部分、下部がタンクホッパーの内蔵部分、中央部前面が操作スイッチ類の配列部分とされたテーブル型に形成されており、その一側面に図１に示すようにカード対応のサンド型遊技媒体貸しユニット２９が付設されている。
【００２２】
この遊技媒体貸しユニット２９は、遊技装置１の装置本体２の側面形状と同じ輪郭の外形形状を有し、装置本体２の側面に付設したときに一体感を呈するデザインとされている。
遊技媒体貸しユニット２９には、前面上部にカード挿入口３０を有するカードユニット３１が内蔵されており、このカードユニット３１はカードをリード・ライタする機能を有すると共に、前面中央部に設けられている金額表示画面３２にカードの金額を表示する機能を有している。
【００２３】
また、遊技媒体貸しユニット２９の内部には遊技媒体払出しホッパー３３、払出し制御基板３４等が配設されており、該遊技媒体払出しホッパー３３から図示省略したシュートを介して隣接する位置に設けられている遊技媒体の受け皿１３に直接遊技媒体を払出しできるように構成されている。
なお、この遊技媒体払出しホッパー３３は、従来の遊技装置内に設置されている遊技媒体払出しホッパーの機能も併せ持つものとして構成することができ、カードユニット３１からの遊技媒体払出し信号に基づいて、遊技装置１に遊技媒体を払出すものである。
【００２４】
更に、遊技媒体貸しユニット２９には、その前面部分に、装置本体２の前面に操作面８から更に手前側に延出して設けられている肘掛け部２８と並列するように拡大延出部３５が一体的に設けられている。
この拡大延出部３５は遊技媒体貸しユニット２９と一体形成してもよく、或いは別部品を固定して設けてもよい。
【００２５】
しかして、上記の実施形態においては、図３に示すように、遊技者３６は遊技媒体貸しユニット２９から遊技媒体の払出しを受け、該遊技媒体を遊技媒体投入口１２から投入し遊技媒体数に応じた数の入賞ラインを有効化し、次いで起動スイッチ４を操作して遊技装置１を起動する。装置が起動されると、回転胴１０ａ〜１０ｃが回転し、遊技者３５が各回転胴１０ａ〜１０ｃに対応した停止スイッチ５ａ〜５ｂを操作して該回転胴１０ａ〜１０ｃを止めることにより、入賞ライン上に図柄を停止させる。
【００２６】
そして、有効化された入賞ライン上の図柄の組み合せにより、入賞、外れが決定され、入賞の場合に所定の配当を受け、一回の遊技が終了する。以降、遊技媒体の投入、回転胴の起動及び回転胴の停止操作を順次繰り返すことによって遊技を続けることができるようになっている。
【００２７】
係る遊技装置１によると、その装置本体２の一側面に該装置本体２の側面形状と同じ輪郭の外形形状を有する遊技媒体貸しユニット２９を一体的に付設した構成としているため、同一の据付けベース上に装置本体２と遊技媒体貸しユニット２９とを一体的に据付けることができる。
従って、遊技装置１の据付け作業の簡素化、据付けコストの低減、据付け時間の短縮化等を達成でき、据付け性の改善を図ることができる。
【００２８】
また、遊技媒体貸しユニット２９の付設に際して、その外形形状を遊技装置１の装置本体２と同じ輪郭とすることにより、一体感を創出するようにしているため、据付け状態での外観デザインを纏まり感のあるすっきりとしたデザインとすることができ、見栄えを向上させ、特にホールの床面に据付けられるタイプの遊技装置として良好に組み入れることができる。
【００２９】
更に、上記構成の遊技装置１によれば、遊技者３６は、肘掛け部２８並びに拡大延出部３５に図３に示すように前腕部３７を置き、手を支持した状態で手のひらを操作面８に対面させて左右方向にスライドさせ、遊技装置を操作することが可能となる。このため、肘を肘当てパッドに置いた回動操作では操作領域が肘を中心とした短い円弧方向のみと極めて狭いものとなるのに比べ、該肘掛け部２８及び拡大延出部３５上では、前腕部３７の前後位置を変えながら左右方向に自在にスライドすることで面状の操作領域をカバーすることができるようになる。
【００３０】
従って、操作領域全てわたり手が届き、各肘の回動運動で得られる操作領域より広い操作領域が得られるようになる。このため、遊技者３６は上体を支えて楽な姿勢で快適に遊技することが可能となり、長時間にわたって遊技を継続しても疲労感を大幅に低減することができる。
【００３１】
また、例えば右手を肘掛け部に支持させた状態で操作面８の左端、或いはその逆のスライド動作が可能となるため、片手のみによる操作も疲労感を生じさせることなく容易に行えるようになる。更に、両肘を置くものに比べて肘掛け部２８の間口方向の長さを短く設定し、装置本体２の間口寸法を小さくすることができるため、遊技媒体貸しユニット２９を組み合せて付設しても据付け面積を最小限に抑えることができる。
【００３２】
更にまた、遊技媒体受け皿１３を操作面８及び遊技媒体投入口１２並びに遊技媒体貸しユニット２９に隣接する位置に設け、遊技装置１の受け皿と遊技媒体貸しユニット２９の受け皿を共通化するようにしているため、遊技媒体受け皿１３の共通化に際して遊技媒体貸しユニット２９からの遊技媒体払出し機構を比較的簡易に設計することができると共に、操作面８及び遊技媒体投入口１２にも隣接しているため、遊技媒体の投入等を楽に行うことができ、操作性の維持向上を図ることができる。
【００３３】
【発明の効果】
以上に詳細に説明したように、本発明に係る遊技装置によると、装置本体の一側面に付設される遊技媒体貸しユニットを装置本体と一体的に且つ簡易に据付けることができるため、その据付け性を向上することができると共に、遊技媒体貸しユニットの外形形状を装置本体の側面形状と同じ輪郭にしているため、付設状態での外観デザインを一体感のあるすっきりとしたものとすることができ、据付け状態での見栄えを向上させることができる。
【００３４】
また、装置本体に手前側に延出する肘掛け部、遊技媒体貸しユニットに該肘掛け部と並列する拡大延出部を設けているため、該部分に前腕部を置き前後に位置を変えながら左右方向に自在にスライドさせて操作でき、広い操作領域をカバーできるようになり、操作性を向上させることができると共に、遊技者は上体を支えて楽な姿勢で快適に遊技することが可能となり、長時間にわたって遊技を継続しても疲労感を大幅に低減することができる。
【図面の簡単な説明】
【図１】本発明の実施形態に係る遊技装置の構成を示す外観斜視図である。
【図２】本発明の実施形態に係る遊技装置の内部構成を示す分解斜視図である。
【図３】本発明の実施形態に係る遊技装置に対する遊技者の遊技姿勢を示す側面図である。
【図４】従来の遊技装置の外観斜視図である。
【図５】従来の遊技装置に対する遊技者の遊技姿勢を示す側面図である。
【符号の説明】
１…遊技装置、２…装置本体、３…表示手段、４…起動スイッチ、５…停止スイッチ、８…操作面、１２…遊技媒体投入口、１３…遊技媒体受け皿、２８…肘掛け部、２９…遊技媒体貸しユニット、３５…拡大延出部
【図１】
2004267320.tif 000003
【図２】
2004267320.tif 000004
【図３】
2004267320.tif 000005
【図４】
2004267320.tif 000006
【図５】
2004267320.tif 000007